(57)【特許請求の範囲】
【請求項１】
リング切替方式である単一方向パス切替リング方式に用いられる分岐挿入型多重化端局装置であって、
右回りおよび左回りの２種類から構成される高速インタフェース部と、
右回りおよび左回りの高速インタフェースに接続される時間スイッチ部と、
低速インタフェース部とからなり、
低速インタフェース部は対向装置からの低速インタフェース信号を受信し、該信号を伝送パス単位に分離し、時間スイッチに分配する機能と、予備系開放を行う伝送パスの場合、０系の信号を右回りの時間スイッチを通して右回りの高速インタフェースへのみ、１系の信号を左回りの時間スイッチを通して左回りの高速インタフェースへのみ分配する機能とを有し、
通常運用時、障害発生時に拘らず、伝送パス単位に、対向装置との冗長系、高速側の冗長系をそれぞれ固定的に接続し、予備系を固定的に開放する機能を備えた
ことを特徴とする分岐挿入型多重化端局装置。
【発明の詳細な説明】
【０００１】
【発明の属する技術分野】
この発明は、基幹通信ネットワークを構成する伝送システムに関し、特に冗長構成を有する伝送装置を備えた伝送システムに関する。
【０００２】
【従来の技術】
図６は従来の１＋１冗長構成を有する伝送装置（多重化端局装置）を備えた伝送システムを示し、図７はその伝送装置（ここでは、３：１の多重装置）の送信端局側の構成を示す。なお、図６では説明を簡単にするため低速インタフェースＬＳ側１チャネルのみを既述している。また、図６では、上り方向のみ（伝送装置２Ａから伝送装置２Ｂへの方向）の信号伝送を示しているが、下り方向（伝送装置２Ｂから伝送装置２Ａへの方向）についても同様である。図６において、１Ａ，１Ｂはサービスノードとしての送受信側の対向装置、２Ａ，２Ｂは３：１の多重化端局装置としての前記伝送装置、ＷおよびＰは各対向装置１Ａ，１Ｂ，伝送装置２Ａ，２Ｂを接続するワーキングチャネルおよびプロテクションチャネル、ＳＥＬは各チャネルＷ，Ｐのセレクタである。また、図７において、ＬＳは前記低速インタフェース、ＨＳは高速インタフェースである。
【０００３】
従って、図６に示すように、伝送装置２Ａ，２Ｂに多重化による冗長構成を採用することで、高速側のワーキングチャネルＷに障害が発生した時にも、回線を断とすることなく、対向装置１Ａからの信号を目的とする対向装置１Ｂへ送ることができる。なお、図６では、１＋１の冗長構成を示しているが、冗長をＮチャネルに対して１チャネルを設けたＮ：１冗長構成でも同じである。
【０００４】
ところで、これまでの電話主体の通信ネットワークから、コンピュータを中心としたマルチメディア通信ネットワークへ移り変わるにつれ、取り扱えるデータの大容量化が従来以上に必要になるとともに、サービス毎の基幹通信への要求も異なってきている。このため、従来のように単純に冗長構成を有するだけでなく、これら冗長機能の、従来にはない柔軟な使い方が望まれている。
【０００５】
図８はエクストラフィックを用いた従来の１＋１冗長切替方式を採用した伝送システムを示す。なお、図６と同様に、説明を簡単にするため低速インタフェースＬＳ側１チャネルのみ示してある。このエクストラトラフィックを用いた１＋１冗長切替方式では、通常運用時、高速インタフェースＨＳ側のプロテクションチャネルＰを用いて、対向装置１Ａと異なる対向装置１Ｃからの信号を対向装置１Ｄへ送る。しかし、高速側のワーキングチャネルＷに障害が発生すると、ワーキング側の信号（すなわち、対向装置１Ａから対向装置１Ｃへの信号）は、高速側のプロテクションチャネルＰを用いて送られ、対向装置１Ｃから対向装置１Ｄへのエクストラトラフィックは断となる。このように、冗長機能を有効に利用して経済的な信号伝送サービスを提供できる。図９および図１０は、前記のような通常運用時および障害発生時における送信端局側の伝送装置２Ａの動作状況を示したものである。なお、図８では、１＋１の冗長構成を示しているが、冗長をＮチャネルに対して１チャネル設けたＮ：１冗長構成でも同じである。
【０００６】
【発明が解決しようとする課題】
従来の伝送システムは以上のように構成されているので、エクストラトラフィックを１＋１の冗長構成を用いることで経済的な信号伝送が実現できるものの、エクストラトラフィックの単位はあくまでも多重化された信号単位でのみの実現であり、低速インタフェース単位、もしくは伝送バス単位でエクストラトラフィック的な扱いができないという課題があった。今後、マルチメディア化が進むと、このような要求が高まると考えられる。また、サービス毎に基幹通信への要求が多様化すると、対向装置側すなわちサービスノード側において、伝送バス単位での様々な切替方式を有する場合が想定され、例えば、重要なサービスには伝送バス単位での無瞬断切替方式、経済性を優先するサービスには冗長構成を一切持たない伝送バス等が考えられ、このような対向装置側の多様化に対しては、従来のエクストラトラフィックを用いた切替方式だけでは対応できないという課題があった。従って、サービスノード側である対向装置の多様化にも柔軟に対応可能な切替方式が望まれている。
【０００７】
この発明は前記のような課題を解決するものであり、低速インタフェース単位もしくは伝送バス単位に、予備系を開放する機能を伝送装置に付加することにより、対向装置側の切替方式に柔軟に対応でき、信頼性を損なうことなく経済的な信号伝送サービスを提供できる伝送システムを提供することを目的とする。
【００１１】
請求項１の発明にかかる分岐挿入型多重化端局装置は、リング切替方式である単一方向パス切替リング方式に用いられる分岐挿入型多重化端局装置であって、右回りおよび左回りの２種類から構成される高速インタフェース部と、右回りおよび左回りの高速インタフェースに接続される時間スイッチ部と、低速インタフェース部とからなり、低速インタフェース部は対向装置からの低速インタフェース信号を受信し、該信号を伝送パス単位に分離し、時間スイッチに分配する機能と、予備系開放を行う伝送パスの場合、０系の信号を右回りの時間スイッチを通して右回りの高速インタフェースへのみ、１系の信号を左回りの時間スイッチを通して左回りの高速インタフェースへのみ分配する機能とを有し、通常運用時、障害発生時に拘らず、伝送パス単位に、対向装置との冗長系、高速側の冗長系をそれぞれ固定的に接続し、予備系を固定的に開放する機能を備えたものである。
【００１３】
【発明の実施の形態】
以下、この発明の実施の一形態を図について説明する。図１は低速インタフェース単位での予備系開放を行った場合の伝送システムを示す。なお、説明を簡単にするため、予備系開放を行う低速インタフェースＬＳ側１チャネルのみを示してある。また、他のチャネルについては、図６の従来の冗長構成もしくは図８のエクストラトラフィック構成を用いてもかまわない。この方式では、通常運用時、高速インタフェースＨＳ側のプロテクションチャネルＰを用いて、対向装置１Ａとは異なる対向装置１Ｃからの信号を対向装置１Ｄへ送る。このとき、送受信端における対向装置との冗長系、高速側の冗長系については、通常運用時、障害発生時に拘らず、図１に示すように固定された状態で運用される。このため、高速側のワーキングチャネルＷに障害が発生しても、ワーキング側の信号（すなわち、対向装置１Ａから対向装置１Ｃへの信号）は、高速側のプロテクションチャネルＰを用いて伝送されることなく、断となる。このように、冗長構成を固定的に用いることで、冗長系を持たない信号伝送を低速インタフェース単位で提供することができる。
【００１４】
図２および図３は通常運用時および障害発生時における多重化端局装置の送信端局側の様子を示したものである。これらの図では、チャネル２のみ予備系を開放しており、他の２チャネルについては、従来の冗長系を用いている。高速側のワーキングチャネルに障害が発生すると、ワーキング側のチャネル２の信号ＬＳ＃２（Ｗ）は断となり、プロテクション側のチャネル２の信号ＬＳ＃２（Ｐ）はそのまま伝送できることがわかる。このような低速インタフェース単位での予備系開放を行うことで、低速インタフェースを単位とするエクストラトラフィック的な扱いが可能となる。
【００１５】
次に、この発明の実施の他の形態を、伝送バス単位での予備開放を、分岐挿入型多重化端局装置（ＡＤＭ装置）を用いて実施する場合について説明する。予備開放を示す前に、まず、ＡＤＭ装置について説明する。図１１は、一般的な単一方向バス切替リング方式（ＵＰＳＲ）を模式的に示したものである。送信端局側では、対向装置からの伝送バスを時間スイッチＴＳＷを用いて方路を振り分けた後、高速側で右回りチャネルＣＷ、左回りチャネルＣＣＷへ分配する。受信端局側では、例えばＣＣＷチャネルに障害が発生した時、障害が発生していないルート（図ではチャネルＣＷ側）へバス単位で切替を行う。
【００１６】
図１２は、図１１の伝送装置である多重化端局装置（ＡＤＭ装置）の送信端局側の構成を示している。ここでは、低速インタフェースＬＳ当たりの伝送バス数を３つとして示している。なお、説明を簡単にするため、低速インタフェースＬＳは１チャネル（ＬＳ＃１）に関してのみ示してあり、また、このＡＤＭ装置で接続を行う伝送バスについても、説明を簡単にするため省略してある。低速インタフェースＬＳでは、対向装置からの低速インタフェース信号を受信後、まず、伝送バス単位に分離する。その後、各伝送バスを、図１２に示すように、時間スイッチ（以下、ＴＳＷ−０という）とそれの装置内冗長である時間スイッチ（以下、ＴＳＷ−１という）へ分配する。ＴＳＷ−０からの信号は、右回りの高速インタフェース（以下、ＨＳ−ＣＷという）と左回りの高速インタフェース（以下、ＨＳ−ＣＣＷという）へそれぞれ分配する。伝送路障害時には、受信端局側にて伝送バス単位に切替を実行することで、伝送バス信号の伝送を行っている。
【００１７】
一方、図４はこの発明により、伝送バス単位に予備系開放を行った場合の単一方向バス切替リング方式を模式的に示したものであり、送信端局側では、対向装置からのワーキング側の伝送バスをＴＳＷ−０を用いてＨＳ−ＣＷにより右回りチャネルＣＷへ送信する。一方、対向装置からのプロテクション側の伝送バスを、ＴＳＷ−０の装置内冗長であるＴＳＷ−１を用いて左回りＣＣＷへ送信する。予備系開放を行った伝送バスは、対向装置からのワーキング側，プロテクション側ともに、高速側のリングにおいて冗長系を持たないため、伝送路障害等が発生しても切り替わらない。
【００１８】
図５は、図４の伝送装置（ＡＤＭ装置）の送信端局側の構成を示している。ここでは、図１２と同様、低速インタフェースＬＳ当たりの伝送バス数を３として示してある。なお、説明を簡単にするため、低速インタフェースＬＳは１チャネルＬＳ＃１に関してのみ示してあり、また、このＡＤＭ装置で接続を行う伝送バスについては、説明を簡単にするため省略している。
【００１９】
低速インタフェースＬＳでは、対向装置からの低速インタフェース信号を受信後、まず、伝送バス単位に分離する。その後、通常の伝送バスについては、ＴＳＷ−０とそれの装置内冗長であるＴＳＷ−１へ分配するが、予備系開放を行う伝送バスについては、ワーキング側の伝送バスをＴＳＷ−０へ、プロテクション側の伝送バスをＴＳＷ−１へ送る（ＬＳ＃１の真ん中の伝送バス）。各ＴＳＷ−０，ＴＳＷ−１では、伝送バス単位に方路の振り分けを行う。これらの各ＴＳＷ−０，ＴＳＷ−１からの伝送バスは、ＨＳ−ＣＷとＨＳ−ＣＣＷへ分配されるが、予備系開放を行う伝送バスについては、ワーキング側の伝送バスをＨＳ−ＣＷへ、プロテクション側の伝送バスをＨＳ−ＣＣＷへ送る（ＬＳ＃１の真ん中の伝送バス）。このような伝送バス単位での予備系開放を行うことで、リング装置の外側に位置するサービスノード側における伝送バス切替方式（重要なサービスには伝送バス単位での無瞬断切替方式、経済性を優先するサービスには冗長構成を一切持たない等）へ柔軟に対応可能となる。
【００２０】
【発明の効果】
以上のように、この発明によれば、対向装置間との冗長機能、高速側の冗長機能および装置内冗長機能を用いて、任意の低速インタフェースもしくは伝送バスに対して、対向装置からのワーキングチャネル（低速インタフェース単位もしくは伝送バス単位）を伝送装置の高速側ワーキングチャネルへ、対向装置からのプロテクションチャネルを伝送装置の高速側プロテクションチャネルへ接続する構成を実現し、低速インタフェース単位もしくは伝送バス単位に、予備系を開放する機能を伝送装置へ付加することにより、対向装置側の切替方式に柔軟に対応でき、信頼性を損なうことなく経済的な信号伝送サービスを提供できるという効果が得られる。
【図面の簡単な説明】
【図１】この発明の実施の一形態による伝送システムを示すブロック図である。
【図２】図１における伝送装置の通常運用時の接続を示すブロック図である。
【図３】図１における伝送装置の障害発生時の接続を示すブロック図である。
【図４】この発明の実施の他の形態による伝送システムにおいて、分岐挿入型多重化端局装置のリング切替方式を示すブロック図である。
【図５】図４における分岐挿入型多重化端局の接続を示すブロック図である。
【図６】従来の伝送システムを示すブロック図である。
【図７】図６における伝送装置の接続を示すブロック図である。
【図８】従来の他の伝送システムを示すブロック図である。
【図９】図８における伝送装置の通常運用時の接続を示すブロック図である。
【図１０】図８における伝送装置の障害発生時の接続を示すブロック図である。
【図１１】従来の伝送システムにおいて、分岐挿入型多重化端局装置のリング切替方式を示すブロック図である。
【図１２】図１１における分岐挿入型多重化端局装置の接続を示すブロック図である。
【符号の説明】
２Ａ，２Ｂ  伝送装置
ＨＳ，ＨＳ−ＣＷ，ＨＳ−ＣＣＷ  高速インタフェース
ＬＳ  低速インタフェース
【図１】
0003574549.tif 000002
【図２】
0003574549.tif 000003
【図３】
0003574549.tif 000004
【図４】
0003574549.tif 000005
【図５】
0003574549.tif 000006
【図６】
0003574549.tif 000007
【図７】
0003574549.tif 000008
【図８】
0003574549.tif 000009
【図９】
0003574549.tif 000010
【図１０】
0003574549.tif 000011
【図１１】
0003574549.tif 000012
【図１２】
0003574549.tif 000013